(57)【特許請求の範囲】
【請求項１】
会員用記録媒体の固有識別情報に関連付けて有価価値を管理する会員管理装置であって、
固有識別情報を記憶する識別情報記憶領域と、精算可能とする有価価値を記憶する第１の有価価値記憶領域と、精算不可能とする有価価値を記憶する第２の有価価値記憶領域とを有するテーブルと、
前記識別情報記憶領域に記憶されている固有識別情報に対応して、価値付け対象の有価価値を前記第１の有価価値記憶領域または前記第２の有価価値記憶領域に格納する処理手段とを備え、
前記処理手段は、
旧会員用記録媒体に対応する新会員用記録媒体の再発行要求があった際に、前記新会員用記録媒体の固有識別情報を前記識別情報記憶領域に格納すると共に、当該固有識別情報に対応して、前記旧会員用記録媒体に価値づけられた有価価値を前記第２の有価価値記憶領域に格納する
ことを特徴とする会員管理装置。
【請求項２】
前記処理手段は、
再発行された新会員用記録媒体に対する入金金額に応じた有価価値の加算処理要求があった際に、前記新会員用記録媒体の固有識別情報に対応して、当該入金金額に応じた有価価値を前記第１の有価価値記憶領域に格納することを特徴とする請求項１に記載の会員管理装置。
【請求項３】
前記処理手段は、
前記新会員用記録媒体の固有識別情報に対応する有価価値を対象とする精算処理要求があった際に、当該固有識別情報に対応して前記第１の有価価値記憶領域に記憶されている有価価値のみを精算処理対象の有価価値として処理することを特徴とする請求項１または２に記載の会員管理装置。
【請求項４】
会員用記録媒体の固有識別情報に関連付けて有価価値を管理する会員管理装置と、
旧会員用記録媒体に対応する新会員用記録媒体の再発行要求を前記会員管理装置に送信する再発行処理装置と
を備え、さらに前記会員管理装置は、
固有識別情報を記憶する識別情報記憶領域と、精算可能とする有価価値を記憶する第１の有価価値記憶領域と、精算不可能とする有価価値を記憶する第２の有価価値記憶領域とを有するテーブルと、
前記再発行処理装置からの再発行要求を受信した場合に、前記新会員用記録媒体の固有識別情報を前記識別情報記憶領域に格納すると共に、前記第１の有価価値記憶領域に記憶されている前記旧会員用記録媒体に価値づけられた有価価値を、前記新会員用記録媒体の固有識別情報に対応して前記第２の有価価値記憶領域に格納する処理手段と
を備えることを特徴とする会員管理システム。
【請求項５】
再発行された新会員用記録媒体を受け入れて当該固有識別情報を読み取ると共に、入金があった場合に、当該入金金額に応じた有価価値及び前記読み取った固有識別情報を含む加算処理要求を前記会員管理装置に対して送信する記録媒体処理装置を更に備え、
前記処理手段は、
前記記録媒体処理装置からの前記加算処理要求があった場合に、前記識別情報記憶領域に記憶され、前記加算処理要求に含まれる固有識別情報と一致する固有識別情報に対応して、前記加算処理要求に含まれる有価価値を前記第１の有価価値記憶領域に格納する
ことを特徴とする請求項４に記載の会員管理システム。
【請求項６】
会員用記録媒体を受け入れて当該固有識別情報を読み取り、該読み取った固有識別情報を含む精算可能額の問合せ要求を前記会員管理装置に対して送信すると共に、前記会員管理装置からの前記問合せ要求に対する回答に基づいて精算処理を実施する精算装置を更に備え、
前記処理手段は、
前記精算装置からの前記問合せ要求があった場合に、前記識別情報記憶領域に記憶され、前記問合せ要求に含まれる固有識別情報と一致する固有識別情報に対応する、前記第１の有価価値記憶領域に記憶されている有価価値のみを前記問合せ要求に対する回答として送信する
ことを特徴とする請求項４または５に記載の会員管理システム。
【発明の詳細な説明】
【０００１】
【発明の属する技術分野】
本発明は、会員用記録媒体の固有識別情報に関連付けて有価価値を管理する会員管理装置及び会員管理システムに関し、特に、旧会員用記録媒体に対応して再発行された新会員用記録媒体に関連付けされている当該旧会員用記録媒体に関する有価価値の不正な精算を防止することのできる会員管理装置及び会員管理システムに関するものである。
【０００２】
【従来の技術】
従来、パチンコ玉やメダル等の遊技媒体を遊技機に投入して遊技を行うパチンコ機やスロットマシンなどの遊技機が知られている。これら遊技機を設置した遊技店においては、プリペイドカードあるいは会員カードなどの各種記録媒体が使用されることが多い。
【０００３】
特に、会員カードは、会員登録を行った遊技客（会員）に対して遊技店から発行されるものであり、この会員カードには予め固有識別情報（例えば会員番号）を磁気記録してある。なお、会員登録に際しては、会員になろうとする遊技客が所定の申し込み用紙に記入した氏名、電話番号、住所などの必要事項が、会員カードの固有識別情報に関連付けられた状態で、会員管理装置であるターミナルコントローラの会員管理テーブルに登録されることになる。
【０００４】
このようにして発行された会員カードを例えばカード発行機に挿入した後に入金を行うことで、その入金の額に応じた有価価値が、固有識別情報に関連付けられた状態でターミナルコントローラの会員管理テーブルに登録される。これ以降、有価価値が関連付けられた会員カードを、一般のプリペイドカードと同様に使用して遊技を行うことが可能になる。
【０００５】
ところで、会員カードを紛失、破損した場合には、次の（１）〜（６）の各処理手順により、会員に対して、旧会員カードに対応する新会員カードを再発行することが可能である。
（１）再発行を希望する会員が、遊技店の店員に対して、例えば、再発行依頼、氏名、電話番号などを申し出る。
（２）店員がターミナルコントローラの入力装置を操作して電話番号（会員番号検索キー）を入力することで、ターミナルコントローラが再発行対象（移行対象）の会員番号を会員管理テーブルから検索し、表示装置に表示する。
（３）店員が、表示装置に表示された再発行対象の会員番号を控えると共に、新規な会員カード（新会員カード）を持参してカード発行機の前まで行き、再発行操作を行う。
（４）再発行操作としては、店員が、カード発行機において、移行処理モードの旨を入力すると共に上記再発行対象の会員番号を入力し、さらに新会員カードを挿入する。
（５）上記再発行操作が実施されると、ターミナルコントローラが、旧会員カードの旧会員番号に対応するデータ（残度数、氏名、電話番号など）を、新会員カードの新会員番号に関連付けて会員管理テーブルに登録（移行）すると共に、旧会員カードを使用不可能にする、という再発行処理を実施する。
（６）店員がカード発行機から返却された新会員カードを会員に渡す。
【０００６】
このようにして再発行された新会員カードに関連付けされている有価価値（旧会員カードに関する有価価値）の範囲内で遊技媒体を借り受けて遊技を行うことができる。また、入金したことに起因して、新会員カードに関連付けされている有価価値（旧会員カードに関する有価価値）に、入金金額に応じた有価価値を加算することもできる。さらに、新会員カードに関連付けされている有価価値（残度数）に応じた金額分を精算することも可能である。
【０００７】
【発明が解決しようとする課題】
しかしながら、再発行処理を行うに際しては、ターミナルコントローラは再発行処理を実施するのに必要な会員番号（移行対象の会員番号）が必要となるが、店員は、会員の申し出が無くとも、ターミナルコントローラを操作して、会員管理テーブルを表示装置に表示させて、残度数の多い会員（会員番号）を調べ、所望の会員番号を知ることができると共に、上記（２）〜（４）の各処理手順と同様の操作を行うことで、最終的に上記（６）の処理手順によりカード発行機から返却された新会員カードを不正に取得することができる。しかも、その店員は、不正に取得した新会員カードをカード精算機に挿入し、所定の操作を行うことで、新会員カードに関連付けられている旧会員カードに関する残度数（有価価値）に応じた金額分の精算（不正な精算）を行い、不正に現金化することができる。
【０００８】
このように従来においては、再発行された新会員カードに関連付けされている旧会員カードに関する有価価値の第三者例えば店員による不正な精算（不正な現金化）を防止することは極めて困難であった。
【０００９】
この発明は、上記実情に鑑みてなされたもので、旧会員用記録媒体に対応して再発行された新会員用記録媒体に関連付けされている当該旧会員用記録媒体に関する有価価値の不正な精算を防止することのできる会員管理装置及び会員管理システムを提供することを目的とする。
【００１０】
【課題を解決するための手段】
本発明は、上記目的を達成するためになされたものであり、請求項１に係る会員管理装置は、会員用記録媒体の固有識別情報に関連付けて有価価値を管理する会員管理装置であって、固有識別情報を記憶する識別情報記憶領域と、精算可能とする有価価値を記憶する第１の有価価値記憶領域と、精算不可能とする有価価値を記憶する第２の有価価値記憶領域とを有するテーブルと、前記識別情報記憶領域に記憶されている固有識別情報に対応して、価値付け対象の有価価値を前記第１の有価価値記憶領域または前記第２の有価価値記憶領域に格納する処理手段とを備え、前記処理手段は、旧会員用記録媒体に対応する新会員用記録媒体の再発行要求があった際に、前記新会員用記録媒体の固有識別情報を前記識別情報記憶領域に格納すると共に、当該固有識別情報に対応して、前記旧会員用記録媒体に価値づけられた有価価値を前記第２の有価価値記憶領域に格納することを特徴とする。
【００１２】
また、請求項２に係る会員管理装置は、請求項１に記載の発明において、前記処理手段は、再発行された新会員用記録媒体に対する入金金額に応じた有価価値の加算処理要求があった際に、前記新会員用記録媒体の固有識別情報に対応して、当該入金金額に応じた有価価値を前記第１の有価価値記憶領域に格納することを特徴とする。
【００１３】
また、請求項３に係る会員管理装置は、請求項１または２に記載の発明において、前記処理手段は、前記新会員用記録媒体の固有識別情報に対応する有価価値を対象とする精算処理要求があった際に、当該固有識別情報に対応して前記第１の有価価値記憶領域に記憶されている有価価値のみを精算処理対象の有価価値として処理することを特徴とする。
【００１４】
また、請求項４に係る会員管理システムは、会員用記録媒体の固有識別情報に関連付けて有価価値を管理する会員管理装置と、旧会員用記録媒体に対応する新会員用記録媒体の再発行要求を前記会員管理装置に送信する再発行処理装置とを備え、さらに前記会員管理装置は、固有識別情報を記憶する識別情報記憶領域と、精算可能とする有価価値を記憶する第１の有価価値記憶領域と、精算不可能とする有価価値を記憶する第２の有価価値記憶領域とを有するテーブルと、前記再発行処理装置からの再発行要求を受信した場合に、前記新会員用記録媒体の固有識別情報を前記識別情報記憶領域に格納すると共に、前記第１の有価価値記憶領域に記憶されている前記旧会員用記録媒体に価値づけられた有価価値を、前記新会員用記録媒体の固有識別情報に対応して前記第２の有価価値記憶領域に格納する処理手段とを備えることを特徴とする。
【００１５】
また、請求項５に係る会員管理システムは、請求項４に記載の発明において、再発行された新会員用記録媒体を受け入れて当該固有識別情報を読み取ると共に、入金があった場合に、当該入金金額に応じた有価価値及び前記読み取った固有識別情報を含む加算処理要求を前記会員管理装置に対して送信する記録媒体処理装置を更に備え、前記処理手段は、前記記録媒体処理装置からの前記加算処理要求があった場合に、前記識別情報記憶領域に記憶され、前記加算処理要求に含まれる固有識別情報と一致する固有識別情報に対応して、前記加算処理要求に含まれる有価価値を前記第１の有価価値記憶領域に格納することを特徴とする。
【００１６】
また、請求項６に係る会員管理システムは、請求項４または５に記載の発明において、会員用記録媒体を受け入れて当該固有識別情報を読み取り、該読み取った固有識別情報を含む精算可能額の問合せ要求を前記会員管理装置に対して送信すると共に、前記会員管理装置からの前記問合せ要求に対する回答に基づいて精算処理を実施する精算装置を更に備え、前記処理手段は、前記精算装置からの前記問合せ要求があった場合に、前記識別情報記憶領域に記憶され、前記問合せ要求に含まれる固有識別情報と一致する固有識別情報に対応する、前記第１の有価価値記憶領域に記憶されている有価価値のみを前記問合せ要求に対する回答として送信することを特徴とする。
【００１７】
【発明の実施の形態】
以下に添付図面を参照して、この発明にかかる会員管理装置及び会員管理システムの好適な実施の形態を詳細に説明する。なお、以下に示す実施の形態では、本発明に係る会員管理システムをパチンコ遊技やスロット遊技を提供する遊技システムに適用した場合を示すこととする。
【００１８】
図１は、本発明の実施の形態である会員管理システムを適用した遊技システムの概略構成を示すブロック図である。ここで例示する遊技システムでは、記録媒体としてプリペイドカードＰＣ及び会員カードＭＣを適用する。
【００１９】
会員カードＭＣは、住所や氏名などの会員情報を登録した会員である利用客に対して遊技店が発行する合成樹脂製のカード（ＪＩＳ２）であり、各種情報が磁気記録及び印字してある。具体的には、発行店の識別情報や会員コード（会員番号）等の会員情報が磁気記録してあると共に、図２に示すように、発行店名、固有識別情報としての会員コード（会員番号）、販売会社コード、店コードなどの情報が印字（エンボス印字）してあり、記録内容の一部を目視できるようになっている。
【００２０】
これに対してプリペイドカードＰＣは、任意の一般利用客に対して遊技店が都度発行する紙製の磁気カードであり、上述した会員カードＭＣと同様、各種情報が磁気記録及び印字してある。具体的には、発行店の識別情報、カード固有の識別コード、発行金額、カード種別等が磁気記録してあると共に、発行店名、カード固有識別情報（例えば発行機番号＋連番）、発行金額及び有効期限が目視できるように印字してある。
【００２１】
これらの会員カードＭＣ及びプリペイドカードＰＣは、その材質や板厚及び記録内容が相違するものの、縦横の寸法が同一であると共に、各種情報を磁気記録するための磁気ストライプも同一の位置に設けてある。
【００２２】
また、会員カードＭＣ及びプリペイドカードＰＣには、それぞれパチンコ玉を借り受ける際の基準となる有価価値、具体的には「度数」と称される有価価値を付与してある。ここでいう「度数」とは、パチンコ玉の貸出処理単位であり、所定のレートで設定してある。一般的には、１度数が１００円に対応し、１度数でパチンコ玉を２５個だけ貸し出すように設定してある。本実施の形態では、それぞれの度数は、個々の会員カードＭＣ、プリペイドカードＰＣには記録せず、後述するターミナルコントローラに記憶させてある。
【００２３】
さて、図１に示すように、本実施の形態の遊技システムでは、「島」と呼ばれるグループごとに複数の遊技機（例えば、パチンコ機）１０を並設してあると共に、各島毎にカード処理ユニット３０、カード発行機１０１、カード精算機１０２、カード更新機１０３等の記録媒体処理装置を適宜設けてある。
【００２４】
遊技機１０は、遊技媒体であるパチンコ玉を遊技領域に発射して遊技客が遊技を行うためのものである。
【００２５】
カード処理ユニット３０は、プリペイドカードＰＣや会員カードＭＣに関連付けられた度数（有価価値）を上限としたパチンコ玉の貸し出し処理を主機能とするものである。このカード処理ユニット３０は、遊技店に設置された複数の遊技機１０それぞれに対して１台ずつペアとなるように用意され、遊技機１０の相互間に挟まれる形で配置してある。
【００２６】
カード発行機１０１（特許請求の範囲に記載の「再発行処理装置」に対応）は、プリペイドカードＰＣの発行処理、プリペイドカードＰＣや会員カードＭＣに関連付けられた度数（有価価値）に対する加算処理を主機能とするもので、遊技店に数台ずつ設置してある。また、カード発行機１０１は、会員カードＭＣを再発行するための処理機能も有している。
【００２７】
カード精算機１０２は、プリペイドカードＰＣや会員カードＭＣに対して関連付けられた度数を現金として払い戻す処理を主機能とするもので、遊技店に数台ずつ設置してある。
【００２８】
カード更新機１０３は、プリペイドカードＰＣに設定された有効期限を更新する処理、すなわち有効期限を経過したプリペイドカードＰＣを新たなプリペイドカードＰＣとして発行する処理を主機能とするもので、遊技店に数台ずつ設置してある。
【００２９】
上述した遊技機１０、カード処理ユニット３０、カード発行機１０１、カード精算機１０２及びカード更新機１０３は、各島に設けた島コントローラ１００を通じてターミナルコントローラ２００と称される会員管理装置の制御下にある。
【００３０】
図３は、ターミナルコントローラ２００の内部構成を示すブロック図である。ターミナルコントローラ２００は、詳細な説明は後述する会員カードＭＣの再発行（移行）処理や、遊技システム全体を制御統括するコントローラであり、具体的には、ＣＰＵ２０１と、メモリ２０２と、ハードディスクなどの記憶装置２０３と、マウスやキーボードなどの入力装置２０４と、ディスプレイ等の表示装置２０５と、通信インタフェース部２０６とを有する。
【００３１】
ＣＰＵ２０１は、プログラムやデータに基づいて各種機能を実現している。例えば、プリペイドカードＰＣや会員カードＭＣ毎の残度数を管理する機能、会員カードＭＣの会員登録機能、会員カードＭＣに関する登録情報の再発行処理（移行処理）機能を有する。このような機能を実現するにあたって必要となるプログラムおよびデータは、メモリ２０２あるいは記憶装置２０３に格納されており、ＣＰＵ２０１が必要に応じてこれを読み出しまたは更新する。記憶装置２０３は度数管理テーブルＤＴを含んでいる。
【００３２】
度数管理テーブルＤＴは、会員管理テーブル２１０およびプリペイドカード管理テーブル２２０を有しており、会員カードＭＣに関する情報とプリペイドカードＰＣに関する情報とが別々に管理している。会員管理テーブル２１０は、図４に示すように、会員番号、残度数エリアＡ及び残度数エリアＢ、使用可否、電話番号、氏名、住所等の各フィールドから構成されている。
【００３３】
なお、詳細な説明は後述するが、残度数エリアＡのフィールドには精算可能とする有価価値（度数）が、また残度数エリアＢのフィールドには精算不可能とする有価価値（度数）が登録され、使用可否のフィールドには会員カードＭＣを使用可能か否かを示す情報（使用可否情報）が登録される。
【００３４】
会員管理テーブル２１０に格納された会員情報、残度数等の登録情報は、通信インタフェース部２０６を通じて読み出し要求があった場合にはＣＰＵ２０１によって都度メモリ２０２から読み出される一方、残度数の減算更新要求や加算更新要求があった場合にはＣＰＵ２０１によって適宜更新される。
【００３５】
次に、カード発行機１０１について図５及び図６を参照して説明する。図５は、カード発行機１０１の外観を示した正面図であり、図６は、カード発行機１０１の内部構成を示すブロック図である。
【００３６】
図５に示すように、カード発行機１０１の筐体４１は、その前面に開閉可能な扉体４２を備えて構成してある。扉体４２は、筐体４１との間に主錠手段４３が設けてあり、閉成した状態で施錠することが可能である。
【００３７】
カード発行機１０１は、筐体４１の前面に設けた扉体４２に会員カード挿入／返却口４４、プリペイドカード発行口４５、紙幣挿入／返却口４６、選択スイッチ４７、取消スイッチ４８、表示部４９およびハンディ収容凹部４２ａを備えている。
【００３８】
会員カード挿入／返却口４４は、会員カードＭＣを受け入れてこれを会員カード処理部４０１（図６参照）に取り込む一方、会員カード処理部４０１において所望の処理を施した後の会員カードＭＣを返却するための開口である。会員カード処理部４０１は、取り込んだ会員カードＭＣに磁気記録されている会員番号を読み取り、その読み取り結果を後述の発行制御部４０２（図６参照）に与える部分である。
【００３９】
プリペイドカード発行口４５は、プリペイドカード処理部４０３（図６参照）で発行処理したプリペイドカードＰＣを排出するための開口である。プリペイドカード処理部４０３は、例えば、予め装填されたロール紙（図示せず）を適宜切断・印字・データ処理し、これをプリペイドカードＰＣとして発行する部分である。
【００４０】
紙幣挿入／返却口４６は、紙幣を受け入れてこれを紙幣処理部４０４（図６参照）に取り込む部分である。紙幣処理部４０４は、取り込まれた紙幣の金種を識別してその識別結果を発行制御部４０２に与えると共に、識別可能な紙幣を金種別に分類して紙幣回収箱４０５（図６参照）に収納する一方、識別不能な紙幣を返却するための部分である。
【００４１】
選択スイッチ４７および取消スイッチ４８は、それぞれ外部操作入力部として設けたもので、遊技客によってＯＮ操作された場合に個別の検出信号を発行制御部４０２に与える部分である。
【００４２】
表示部４９は、発行制御部４０２から与えられた入力ガイダンス等の各種情報を表示するための部分であり、例えば液晶表示器によって構成してある。
【００４３】
ハンディ収容凹部４２ａは、補助扉体４２ｂによって開閉可能、かつ扉体４２の主錠手段４３とは個別の補助錠手段４２ｃによって施錠可能な凹所である。この補助錠手段４２ｃには、施錠状態にあるか否かを検出すると共に、その検出結果を常時、発行制御部４０２に与える施錠検出センサ４０６を設けてある。上記ハンディ収容凹部４２ａには、遊技店の店員のみが操作可能なハンディ端末入力機４０７を設けてある。
【００４４】
ハンディ端末入力機４０７は、再発行処理（移行処理）モードスイッチを含む各種機能スイッチやテンキースイッチを備えて構成したもので、内部操作入力部として機能する。このハンディ端末入力機４０７の各種機能スイッチやテンキーがＯＮ操作された場合には、上述した選択スイッチ４７や取消スイッチ４８と同様に、それぞれ個別の検出信号が発行制御部４０２に与えられることになる。
【００４５】
発行制御部４０２は、予め与えられたプログラムや会員カード処理部４０１、紙幣処理部４０４、選択スイッチ４７、取消スイッチ４８、施錠検出センサ４０６およびハンディ端末入力機４０７から与えられた情報に基づいて各部の制御を行うための部分である。
【００４６】
この発行制御部４０２は、通信インタフェース部４０８を通じて外部と適宜情報交換することが可能である。本実施の形態では、通信インタフェース部４０８が、島コントローラ１００を介してターミナルコントローラ２００に接続してある。
【００４７】
次に、カード精算機１０２について図７及び図８を参照して説明する。図７は、カード精算機１０２の外観を示した正面図であり、図９は、カード精算機１０２の内部構成を示すブロック図である。
【００４８】
図７に示すように、カード精算機１０２は、筐体５１の前面に設けた扉体５２に会員カード挿入／返却口５３、プリペイドカード挿入／返却口５４、紙幣払出口５５、硬貨払出口５６、確認スイッチ５７、取消スイッチ５８及び表示部５９を備えている。
【００４９】
会員カード挿入／返却口５３は、会員カードＭＣを受け入れてこれを会員カード処理部５０１（図８参照）に取り込む一方、会員カード処理部５０１において所望の処理を施した後の会員カードＭＣを返却するための開口である。会員カード処理部５０１は、取り込んだ会員カードＭＣに磁気記録されている会員識別情報を読み取り、その読み取り結果を後述の精算制御部５０２（図８参照）に与える部分である。この会員カード処理部５０１は、会員カードＭＣに対して所望の処理を施した後、精算制御部５０２からの制御信号に基づいて当該会員カードＭＣを返却するように構成してある。
【００５０】
プリペイドカード挿入／返却口５４は、プリペイドカードＰＣを受け入れてこれをプリペイドカード処理部５０３（図８参照）に取り込む一方、プリペイドカード処理部５０３において処理を中断した後のプリペイドカードＰＣを返却するための開口である。プリペイドカード処理部５０３は、取り込んだプリペイドカードＰＣに磁気記録されている情報を読み取り、その読み取り結果を精算制御部５０２に与える部分である。このプリペイドカード処理部５０３は、プリペイドカードＰＣに対して所望の処理を施した後、精算制御部５０２からの制御信号に基づいて当該プリペイドカード回収箱５０４（図８参照）に回収する一方、プリペイドカードＰＣに対して処理を中断した場合には精算制御部５０２からの制御信号に基づいて当該プリペイドカードＰＣを返却するように構成してある。
【００５１】
紙幣払出口５５は、紙幣処理部５０５（図８参照）によって払い出された紙幣を外部に排出するためのもので、精算制御部５０２からの制御信号に応じた金額の紙幣を収納部５０６（図８参照）から払い出すための部分である。
【００５２】
硬貨払出口５６は、硬貨処理部５０７（図８参照）によって払い出された硬貨を外部に排出する開口である。硬貨処理部５０７は、硬貨を貯留したホッパ５０８（図８参照）を有するもので、精算制御部５０２からの制御信号に応じた金額の硬貨をホッパ５０８から払い出すための部分である。
【００５３】
確認スイッチ５７及び取消スイッチ５８は、それぞれ外部操作入力部として設けたもので、利用客によってＯＮ操作された場合に個別の検出信号を精算制御部５０２に与える部分である。表示部５９は、精算制御部５０２から与えられた入力ガイダンス等の情報を表示するための部分であり、例えば液晶表示器によって構成してある。
【００５４】
精算制御部５０２は、与えられたプログラムや会員カード処理部５０１、プリペイドカード処理部５０３、確認スイッチ５７及び取消スイッチ５８から与えられた情報に基づいて各部の制御を行うための部分である。この精算制御部５０２は、通信インタフェース部５０９を通じて外部と適宜情報交換することが可能である。本実施の形態では、通信インタフェース部５０９が、島コントローラ１００を介してターミナルコントローラ２００に接続されている。
【００５５】
次に、本実施の形態の遊技システムによる会員カードの再発行処理（移行処理）について、図９乃至図１１を参照して説明する。図９は、カード発行機１０１の処理動作を示すフローチャートであり、図１０は、ターミナルコントローラ２００の処理動作を示すフローチャートであり、図１１は、カード発行機１０１とターミナルコントローラ２００との間で実施されるデータ通信処理手順を示すシーケンス図である。
【００５６】
最初に、遊技店の店員が、再発行処理（移行処理）の準備段階（前処理）として移行対象の会員番号を取得する操作を行う。すなわち、店員が、紛失や破損した会員カードＭＣ（これを旧会員カードＭＣとする）の所有者である会員の申し出により得られた電話番号を基に、ターミナルコントローラ２００の入力装置２０４を操作して、会員の電話番号（会員番号検索キー）を入力する。すると、ＣＰＵ２０１は、入力された電話番号を基に、会員管理テーブル２１０から対応する会員番号（移行対象の会員番号）を検索し、この検索結果（移行対象の会員番号）を表示装置２０５に表示する。
【００５７】
そして、店員は、表示装置２０５に表示された移行対象の会員番号を控えると共に、新規の会員カードＭＣ（これを新会員カードＭＣとする）を持参して、店内のカード発行機１０１の前まで行き、所定の操作を実施する。ここで、旧会員カードＭＣの会員番号を旧会員番号（例えば「１１１１１」）とし、新会員カードＭＣの会員番号を新会員番号（例えば「２２２２２」）とする。
【００５８】
図９に示すように、カード発行機１０１では、発行制御部４０２が、再発行処理（移行処理）モードスイッチが押下されたかを監視し（ステップＳ１０１）、店員がハンディ端末入力機（内部操作入力部）４０７の再発行処理（移行処理）モードスイッチを押下した場合には（図１１の＃１参照）、再発行処理（移行処理）モードの旨をターミナルコントローラ２００に対して送信し（ステップＳ１０２、図１１の＃２参照）、その後、表示部４９を通じて旧会員番号の入力要求の表示を行う（ステップＳ１０３）。
【００５９】
なお、上記移行処理モードの旨は、通信インタフェース部４０８及び島コントローラ１００を介してターミナルコントローラ２００に入力される。
【００６０】
ステップＳ１０３を終了した発行制御部４０２は、旧会員番号が入力されたかを監視し（ステップＳ１０４）、店員がハンディ端末入力機４０７のテンキーを操作して旧会員番号を入力した場合には（図１１の＃３参照）、入力された旧会員番号をターミナルコントローラ２００に対して送信し（ステップＳ１０５、図１１の＃４参照）、その後、表示部４９を通じて新会員カードＭＣの挿入要求の表示を行い（ステップＳ１０６）、制御権を会員カード処理部４０１に渡す。
【００６１】
具体的には、例えば旧会員番号として「１１１１１」が入力され、この旧会員番号「１１１１１」が、通信インタフェース部４０８及び島コントローラ１００を介してターミナルコントローラ２００に入力される。
【００６２】
制御権を渡された会員カード処理部４０１は、新会員カードＭＣが挿入されたかを監視し（ステップＳ１０７）、新会員カードＭＣが会員カード挿入／返却口４４に挿入された場合には（図１１の＃５参照）、取り込んだ新会員カードＭＣの磁気情報を読み取り（ステップＳ１０８、図１１の＃６参照）、この読み取り結果と共に制御権を発行制御部４０２に渡す。
【００６３】
発行制御部４０２は、会員カード処理部４０１から取得した新会員番号をターミナルコントローラ２００に対して送信する（ステップＳ１０９、図１１の＃７参照）。具体的には、例えば「２２２２２」の新会員番号が、通信インタフェース部４０８及び島コントローラ１００を介してターミナルコントローラ２００に入力される。
【００６４】
その後、発行制御部４０２は、ターミナルコントローラ２００からの後述する移行処理（図１１の＃８参照）の処理完了通知を受信したか否かを判断し（ステップＳ１１０）、受信していない場合には受信するまで待機し、一方、処理完了通知を受信した場合には（図１１の＃９参照）、会員カード処理部４０１を通じて会員カードＭＣを返却する（ステップＳ１１１、図１１の＃１０参照）。
【００６５】
一方、ターミナルコントローラ２００では、図１０に示すように、ＣＰＵ２０１が、カード発行機１０１からの再発行処理（移行処理）モードの旨を受信したかを監視し（ステップＳ２０１）、再発行処理（移行処理）モードの旨を受信した場合は（図１１の＃２参照）、旧会員番号を受信したかを監視し（ステップＳ２０２）、旧会員番号を受信した場合は（図１１の＃４参照）、新会員番号を受信したかを監視し（ステップＳ２０３）、新会員番号を受信した場合は（図１１の＃７参照）、移行処理（この処理の詳細な説明は後述する）を実行し（ステップＳ２０４、図１０の＃８参照）、この移行処理を終了したら、処理終了通知を、カード発行機１０１に対して送信する（ステップＳ２０５、図１１の＃９参照）。
【００６６】
ここで、ターミナルコントローラ２００による移行処理について具体例を挙げて説明する。ＣＰＵ２０１が、カード発行機１０１からの旧会員番号「１１１１１」を記憶装置３０２に一時記憶すると共に、メモリ２０２において、カード発行機１０１からの新会員番号「２２２２２」に対応する所定の情報（つまり旧会員番号に対応して登録されている情報）を会員管理テーブル２１０に追加するための１行分の領域を確保する。
【００６７】
次に、ＣＰＵ２０１は、旧会員番号「１１１１１」と一致する会員番号を会員管理テーブル２１０（図４参照）から検索し、この検索により得られた旧会員番号（つまり「１１１１１」）に対応する残度数エリアＡのフィールドに登録されている残度数（「１００」）を、上記確保した１行分の領域における残度数エリアＢのフィールドに該当する領域に登録する。
【００６８】
次いで、ＣＰＵ２０１は、会員管理テーブル２１０における旧会員番号（つまり「１１１１１」）に対応する電話番号、氏名、住所の各フィールドに登録されている情報を取得し、これら取得した各情報を上記確保した１行分の領域における前記各フィールドに該当する領域に登録する。
【００６９】
さらに、ＣＰＵ２０１は、旧会員番号（つまり「１１１１１」）に対応する使用可否のフィールドに登録されている「使用可能を示す旨」を「使用不可能を示す旨」に更新すると共に、上記確保した１行分の領域における使用可否のフィールドに該当する領域に「使用可能を示す旨」を登録する。これで移行処理が終了したことになるので、ＣＰＵ２０１は、処理完了通知をカード発行機１０１に対して送信することになる。
【００７０】
上述したようにして移行処理が終了した時点においては、図４に示した会員管理テーブル２１０の内容は、図１２に示すテーブル内容に更新されている。
【００７１】
なお、本実施の形態においては、最初に発行される会員カードＭＣにおいては、残度数エリアＡのフィールドのみに度数（残度数）が登録され、一方、残度数エリアＢのフィールドには度数（残度数）は登録されない。これに対し、上述したような移行処理（再発行処理）により再発行される新会員カードＭＣにおいては、残度数エリアＢのフィールドに旧会員カードＭＣの残度数エリアＡのフィールドに登録されている残度数が登録され、一方、残度数エリアＡのフィールドには、会員カードの再発行当初においては残度数は登録されないものの、入金があった際に当該金額に応じた度数が登録されるように設定されている。
【００７２】
また、本実施の形態においては、残度数エリアＡのフィールドに登録されている残度数は精算処理対象として取り扱われ、一方、残度数エリアＢのフィールドに登録されている残度数については精算処理対象外として取り扱われるように設定されている。
【００７３】
さらに、本実施の形態においては、残度数エリアＡのフィールドに登録されている残度数と残度数エリアＢのフィールドに登録されている残度数との合計値（残度数）の範囲内で、遊技媒体を借り受けて遊技を行うことができるように設定されている。この場合、残度数エリアＢのフィールドに登録されている残度数が優先して使用されるように設定されている。
【００７４】
因みに、図１２に示す会員管理テーブル２１０において、例えば、新会員番号「２２２２２」の新会員カードＭＣに対応する残度数エリアＢのフィールドに残度数「１００」が登録されている場合には、この残度数「１００」を基に、カード精算機１０２による精算処理は実施できないものの、カード処理ユニット３０による遊技媒体の貸し出し処理は実施できる。
【００７５】
ところで、本実施の形態において、再発行された会員カードＭＣ（新会員カードＭＣ）とは、例えばカード発行機１０１に挿入された新会員カードＭＣに対応して、ターミナルコントローラ２００による上述した再発行処理（移行処理）により、旧会員カードＭＣに関する残度数が会員管理テーブル２１０に登録（移行）され、さらに、カード発行機１０１から返却（排出）された当該新会員カードＭＣをいう。
【００７６】
以上説明したように、この実施の形態の再発行処理（移行処理）では、旧会員カードＭＣに関する残度数を、会員管理テーブル２１０の残度数エリアＢのフィールドすなわち、精算不可能とする有価価値（残度数）を登録するためのフィールドにおける新会員カードＭＣの新会員番号に対応する領域に登録（移行）するようにしているので、例えば、精算処理のために、精算に関わる問合せ要求があった場合であっても、再発行処理（移行処理）された旧会員カードＭＣに関する残度数については残高「０」つまり精算処理対象外として取り扱うことが可能になる。
【００７７】
次に、カード発行機１０１による有価価値（度数）の加算処理について、図１３を参照して説明する。図１３は、このカード発行機１０１の加算処理動作を示すフローチャートである。以下の説明においては、上述した移行処理（再発行処理）により再発行された新会員カードＭＣ（新会員番号「２２２２２」）に対して有価価値（度数）を新規に追加する場合を想定する。
【００７８】
ところで、新会員カードＭＣが再発行されたとしても、この新会員カードＭＣに関しては、図１２に示したように、新会員番号「２２２２２」に対応する残度数エリアＡに登録される残度数は「０」であり、残度数エリアＢに登録される残度数は「１００」であり、合計の残度数は「１００」である。そこで、会員は、「１００」を越えて遊技を行おうとすれば、入金して新会員カードＭＣに対して有価価値（度数）を価値付けする必要がある。
【００７９】
さて、図１３に示すように、カード発行機１０１では、会員カード処理部４０１が、会員カード挿入／返却口４４に新会員カードＭＣが挿入されたかを監視し（ステップＳ３０１）、新会員カードＭＣが挿入された場合には、取り込んだ新会員カードＭＣの磁気情報を読み取り（ステップＳ３０２）、この読み取り結果を発行制御部４０２に送出する。
【００８０】
発行制御部４０２は、会員カード処理部４０１からの読み取り結果のうちの新会員番号を含めて、使用可否情報の問合せ要求をターミナルコントローラ２００に送信し（ステップＳ３０３）、その後、ターミナルコントローラ２００からの前記使用可否情報の問合せ要求に対する問合せ結果を受信することになる。
【００８１】
具体的には、例えば、新会員番号「２２２２２」の新会員カードＭＣがカード発行機１０１に挿入された場合には、図１２に示したように、当該新会員番号「２２２２２」に対応して、使用可否情報として「使用可能を示す旨」が登録されているので、ターミナルコントローラ２００からは、問合せ結果として「使用可能を示す旨」がカード発行機１０１に対して送信されることになる。
【００８２】
問合せ結果を受信したカード発行機１０１では、発行制御部４０２が、その問合せ結果は「使用可能を示す旨」であるいか否かを判断し（ステップＳ３０４）、「使用可能を示す旨」であった場合には、表示部４９を通じて入金要求の表示を行い（ステップＳ３０５）、その後、紙幣処理部４０４からの検出信号に基づいて紙幣が挿入されたかを監視する（ステップＳ３０６）。
【００８３】
紙幣が挿入された場合、発行制御部４０２は、複数の選択スイッチ４７の中から入金額以下のものを有効化し（ステップＳ３０７）、その後、当該有効化した選択スイッチ４７がＯＮ操作されたかを監視する（ステップＳ３０８）。なお、選択スイッチ４７を有効化した場合には、当該有効化した選択スイッチ４７を発行させ、さらには表示部４９を通じて会員に対して選択スイッチ４７のＯＮ操作を促す表示を行うことが好ましい。
【００８４】
ステップ３０８において選択スイッチ４７がＯＮ操作されると、発行制御部４０２は、その選択スイッチ４７の金額に対応する度数の加算要求を、既に読み取っている新会員カードＭＣの磁気情報（特に新会員番号）と共にターミナルコントローラ２００に送信し（ステップＳ３０９）、その後、会員カード処理部４０１を通じて新会員カードＭＣを会員に返却して（ステップＳ３１０）、この処理を終了する。
【００８５】
ターミナルコントローラ２００では、カード発行機１０１において例えば５０００円の紙幣が挿入され、さらに５０００円の金額に対応する選択スイッチ４７が押下された際には、１度数が１００円のレートとした場合、図１４に示すように、会員番号「２２２２２」に対応する残度数エリアＡのフィールドに度数値「５０」を登録する。
【００８６】
ステップＳ３０４において使用可否情報が「使用不可能の旨」であった場合、発行制御部４０２は、表示部４９を通じてエラーメッセージ（例えば使用不可能な旨）の表示を行い（ステップＳ３１１）、その後、ステップＳ３１０に進む。
【００８７】
このステップＳ３１１の処理が実施されるのは、例えば、紛失したものとして旧会員番号「１１１１１」の旧会員カードＭＣに対応して新会員番号「２２２２２」の会員カードＭＣが再発行され、その後、紛失していた前記旧会員カードＭＣが見つかった場合に、この旧会員カードＭＣがカード発行機１０１に挿入されたときである。
【００８８】
以上説明したように、本実施の形態の有価価値（度数）の加算処理（再発行された新会員カードに対する処理）では、入金された際の入金額に応じた度数（残度数）を、会員管理テーブル２１０の残度数エリアＡのフィールドにおける新会員カードＭＣの新会員番号に対応する領域に登録するようにしているので、上述したように、残度数エリアＡのフィールドに登録されている残度数と残度数エリアＢのフィールドに登録されている残度数との合計値（残度数）の範囲内で、遊技媒体を借り受けて遊技を行うことができる。この場合、残度数エリアＢのフィールドに登録されている残度数が優先して使用されるように設定されている。
【００８９】
勿論、残度数エリアＡのフィールドに登録されている残度数については精算は可能であるが、残度数エリアＢのフィールドに登録されている残度数については精算はできない。
【００９０】
因みに、図１４に示す会員管理テーブル２１０において、例えば、新会員番号「２２２２２」の新会員カードＭＣに対応して、残度数エリアＡのフィールドに残度数「５０」が登録され、また、残度数エリアＢのフィールドに残度数「１００」が登録されている場合には、この残度数「１５０」の範囲内でカード処理ユニット３０による遊技媒体の貸し出し処理が実施可能となる。例えば「５０」度数分の遊技媒体を借り受けた場合には、本実施の形態では、残度数エリアＢのフィールドに登録されている残度数を優先して使用するようにしているので、残度数エリアＢのフィールドに登録されている残度数は値が「１００」から「５０」に変更されることになる。
【００９１】
次に、本実施の形態の遊技システムによる会員カードに関する精算処理について、図１５乃至図１８を参照して説明する。図１５は、カード精算機１０２による精算処理動作を示すフローチャートであり、図１６は、ターミナルコントローラ２００の処理動作を示すフローチャートであり、図１７及び図１８は、カード精算機１０２とターミナルコントローラ２００との間で実施されるデータ通信処理手順を示すシーケンス図である。以下の説明においては、新会員番号「２２２２２」の再発行された新会員カードＭＣに関わる精算を行う場合を想定する。
【００９２】
最初に、カード精算機１０２の精算処理に着目して説明する。図１５に示すように、カード精算機１０２では、会員カード処理部５０１が、新会員カードＭＣが会員カード挿入／返却口５３に挿入されたかを監視し（ステップＳ４０１）、新会員カードＭＣが挿入された場合には（図１７の＃１１参照）、取り込んだ新会員カードＭＣの磁気情報を読み取り（ステップＳ４０２、図１７の＃１２参照）、この読み取り結果を精算制御部５０２に送出する。
【００９３】
精算制御部５０２は、読み取り結果のうちの新会員番号を含めて、精算に関わる問合せ要求をターミナルコントローラ２００に対して送信する（ステップＳ４０３、図１７の＃１３参照）。この新会員番号を含む精算に関わる問合せ要求は、通信インタフェース部５０９及び島コントローラ１００を介してターミナルコントローラ２００に入力される。
【００９４】
上記精算に関わる問合せ要求を受信したターミナルコントローラ２００では、当該精算に関わる問合せ要求に含まれる新会員番号を基に残度数を検索するための検索処理（図１７の＃１４参照）を実施する。すなわち、取得した新会員番号と一致する会員番号を、会員管理テーブル２１０から検索し、一致する会員番号が存在する場合は、対応する使用可否のフィールドに「使用可能を示す旨」が登録されている場合のみ、残度数エリアＡのフィールドに登録されている残度数を、精算に関わる問合せ要求に対する問合せ結果としてカード精算機１０２に対して送信する（図１７の＃１５参照）。
【００９５】
ステップＳ４０３を終了したカード精算機１０２では、精算制御部５０２が、ターミナルコントローラ２００からの精算に関わる問合せ要求に対する問合せ結果（つまり残度数）を受信したか否かを判断し（ステップＳ４０４）、受信しない場合には受信するまで待機し、一方、問合せ結果を受信した場合には、当該問合せの結果である残度数は値「０」であるか否かを判断する（ステップＳ４０５）。
【００９６】
ステップＳ４０５において、残度数が値「０」であると判断した精算制御部５０２は、表示部５９を通じて精算不可能の旨（例えば残度数「０」）の表示を行い(ステップＳ４０６、図１７の＃１６参照）、その後、会員カード処理部５０１を通じて会員に対して新会員カードＭＣを返却して（ステップＳ４０７、図１７の＃１７参照）、この処理を終了する。
【００９７】
具体的には、ステップＳ４０５の「肯定」、ステップＳ４０６及びステップＳ４０７の処理が実施されるのは、例えば、会員管理テーブル２１０の内容が図１２に示した会員管理テーブル２１０の内容であった際に、会員番号「２２２２２」の会員カードＭＣがカード精算機１０２に挿入されたときである。
【００９８】
因みに、残度数エリアＢのフィールドに残度数「１００」が登録されているが、当該残度数エリアＢのフィールド内の情報（残度数）については精算対象外として取り扱うように設定されているので、この残度数「１００」が問合せ結果として送信されることはない。
【００９９】
一方、ステップＳ４０５において、残度数が「１以上の値」であると判断した精算制御部５０２は、表示部５９を通じて精算可能の旨（例えば残度数「５０」）の表示を行い(ステップＳ４０８）、その後、確認スイッチ５７が押下されたかを監視し(ステップＳ４０９）、確認スイッチ５７が押下された場合には（図１８の＃２７参照）、確信スイッチが押下された旨を既に取得している新会員番号と共にターミナルコントローラ２００に対して送信する（ステップＳ４１０、図１８の＃２８参照）。
【０１００】
これと同時に、紙幣処理部５０５あるいは硬貨処理部５０７を通じて、上記取得した問合せ結果である残度数の値に応じた金額の貨幣を払い出し(ステップＳ４１１、図１８の＃２９参照）、その後、ステップＳ４０７に進む。つまり、会員カード処理部５０１を通じて会員に対して新会員カードＭＣを返却して（図１８の＃３０参照）、この処理を終了する。
【０１０１】
なお、図１８に示す処理手順おいて符号＃２１〜＃２６の各処理手順は、図１７に示した符号＃１１〜＃１６の各処理手順と同様の処理内容になっている。
【０１０２】
カード精算機１０２からの確認スイッチが押下された旨及び新会員番号を受信したターミナルコントローラ２００では、新会員番号に対応する残度数エリアＡのフィールドの登録内容をクリアする更新処理を実施することになる（図１８の＃３１参照）
具体的には、ステップＳ４０５の「否定」、ステップＳ４０８〜ステップＳ４１１及びステップＳ４０７の処理が実施されるのは、例えば、会員管理テーブル２１０の内容が、図１４に示した会員管理テーブル２１０の内容であった際に、新会員番号「２２２２２」の新会員カードＭＣがカード精算機１０２に挿入されたときである。この場合は、上述したように、残度数エリアＡのフィールドに登録されている残度数「５０」分についてのみ精算が行われ、残度数エリアＢのフィールドに登録されている残度数「１００」分については精算は行われない。そして、残度数エリアＡのフィールドの登録内容がクリアされる。これにより、図１４に示した会員管理テーブル２１０の内容は、図１２に示した会員管理テーブル２１０の内容に更新されることになる。
【０１０３】
次に、ターミナルコントローラ２００の処理に着目して説明する。図１６に示すように、ターミナルコントローラ２００では、ＣＰＵ２０１が、精算に関わる問合わせ要求を受信したかを監視し（ステップＳ５０１）、精算に関わる問合わせ要求を受信した場合には、その問合せ要求に含まれる新会員番号を基に、対応する残度数を会員管理テーブル２１０から検索する検索処理を実施する（ステップＳ５０２、図１７の＃１４あるいは図１８の＃２４参照）。
【０１０４】
すなわち、ＣＰＵ２０１は、取得した新会員番号と一致する会員番号を会員管理テーブル２１０（図１４参照）から検索し、この検索により得られる会員番号に対応する使用可否のフィールドに登録されている使用可否情報が「使用可能を示す旨」であった場合のみ、対応する残度数エリアＡのフィールドに登録されている残度数を取得する。
【０１０５】
そして、ＣＰＵ２０１は、取得した残度数を、精算に関わる問合せ要求に対する問合せ結果としてカード精算機１０２に対して送信すると共に（ステップＳ５０３、図１７の＃１５あるいは図１８の＃２５参照）、上記残度数エリアＡのフィールドに登録されている残度数が値「０」であるか否かを判断し（ステップＳ５０４）、値が「０」の場合には、この処理を終了する。
【０１０６】
一方、ステップＳ５０４において、残度数が「１以上の値」であると判断したＣＰＵ２０１は、カード精算機１０２からの確認スイッチが押下された旨を受信したかを監視し（ステップＳ５０５）、この確認スイッチが押下された旨を受信した場合には（図１８の＃２８参照）、会員管理テーブル２１０に対する更新処理を実施し（ステップＳ５０６、図１８の＃３１参照）、その後、この処理を終了する。
【０１０７】
以上説明したように、本実施の形態の精算処理では、再発行された新会員カードＭＣに関する有価価値（残度数）を精算する場合には、会員管理テーブル２１０において、残度数エリアＡのフィールドに登録されている残度数のみを精算対象とし、一方、残度数エリアＢのフィールドに登録されている残度数については精算対象外とするようにしているので、新会員カードＭＣに対応して移行された旧会員カードＭＣに関する残度数の第三者による不正な精算に伴う現金化を防止することが可能となる。
【０１０８】
上述した実施の形態では、会員管理テーブル２１０の残度数エリアＢのフィールドに登録されている残度数は例えば精算処理対象外であるとして精算不可能であったが、本発明はこれに限定されることなく、次のようにしても良い。
【０１０９】
すなわち、例えば新会員番号「２２２２２」の新会員カードＭＣに対してカード発行機１０１による有価価値の加算処理（図１３参照）が実施されるような場合（会員管理テーブル２１０が、図１２に示す内容から図１４に示す内容に更新されるような場合）には、当該新会員カードＭＣの再発行に際して不正は無かったものとして取り扱うようにする。
【０１１０】
しかしこの場合、残度数エリアＡのフィールドに残度数「５０」を登録すると共に、残度数エリアＢのフィールドに登録されている残度数「１００」を、残度数エリアＡのフィールドに登録内容に加算（加算結果「１５０」）し、その後、残度数エリアＢのフィールドの登録内容をクリアする。
【０１１１】
このような処理が行われた場合、図１２に示した会員管理テーブル２１０は、図１９に示す会員管理テーブル２１０の内容に更新される。これにより、会員は、残度数エリアＡのフィールドに登録されている残度数「１５０」の範囲内で、遊技媒体を借り受けて遊技を行うことができる。勿論、その残度数「１５０」に応じた金額分を精算することも可能である。
【０１１２】
また、上述した実施の形態では、カード発行機１０１を用いて、新会員カードＭＣに対応して登録されているデータの再発行処理（移行処理）を行うようにしているが、本発明はこれに限定されることなく、例えば、カード発行機１０１の再発行処理（移行処理）機能と同様の機能を有する再発行処理（移行処理）専用機を採用するようにしても良い。
【０１１３】
以上説明したように、本実施の形態によれば、会員管理テーブル２１０に、精算可能とする有価価値（残度数）が登録される残度数エリアＡと、精算不可能とする有価価値（残度数）が登録される残度数エリアＢとを設け、新会員カードＭＣに対応して登録される旧会員カードＭＣに関する有価価値（残度数）を、残度数エリアＢに登録（移行）するようにしているので、旧会員カードＭＣに関する有価価値（残度数）の第三者による不正な精算に伴う現金化を防止することができる。特に、移行処理操作を行う店員による、再発行された新会員カードＭＣの不正な精算に伴う現金化を防止することができる。
【０１１４】
また、本実施の形態によれば、再発行された新会員カードＭＣに対応して入金された際の入金額に応じた有価価値（度数）を価値付けすることができるので、旧会員カードを紛失、破損して当該旧会員カードＭＣを使用することができなかった会員にとっては、以前と同様に、新会員カードＭＣに関連付けされた有価価値すなわち、残度数エリアＡのフィールドに登録されている有価価値（残度数）と残度数エリアＢのフィールドに登録されている有価価値（残度数）との合計値（残度数）の範囲内で、遊技媒体を借り受けて遊技を行うことができる。勿論、残度数エリアＡのフィールドに登録されている有価価値（残度数）に応じた金額分の精算を行うことも可能である。
【０１１５】
さらに、本実施の形態によれば、再発行された新会員カードＭＣの精算処理に際しては、会員管理テーブル２１０において、残度数エリアＡのフィールドに登録されている残度数のみを精算対象とし、一方、残度数エリアＢのフィールドに登録されている残度数については精算対象外とするようにしているので、新会員カードＭＣに対応して移行された旧会員カードＭＣに関する残度数の第三者による不正な精算に伴う現金化を防止することができる。特に、再発行処理（移行処理）操作を行う店員による、再発行された新会員カードＭＣに関する有価価値（残度数）の不正な精算に伴う現金化を防止することができる。
【０１１６】
【発明の効果】
以上説明したように、請求項１の発明によれば、処理手段が、識別情報記憶領域に記憶されている固有識別情報に対応して、価値付け対象の有価価値を、精算可能とする有価価値を記憶する第１の有価価値記憶領域または精算不可能とする有価価値を記憶する第２の有価価値記憶領域に格納するようにしているため、再発行要求があった場合には、旧会員用記録媒体に対応する新会員用記録媒体の固有識別情報に対応して、当該旧会員用記録媒体に価値づけられた有価価値を第２の有価価値記憶領域に格納することが可能となると共に、再発行された新会員用記録媒体に対応して入金があった場合には、その固有識別情報に対応して、該入金金額に応じた有価価値を第１の有価価値記憶領域に格納することが可能となる。このため、再発行された新会員用記録媒体の固有識別情報に対応して記憶されている旧会員用記録媒体に価値づけられた有価価値の精算を不可能とすることが可能となる。
また、処理手段が、再発行要求があった際に、新会員用記録媒体の固有識別情報を識別情報記憶領域に格納すると共に、当該固有識別情報に対応して、旧会員用記録媒体に価値づけられた有価価値を精算不可能とする有価価値を記憶する第２の有価価値記憶領域に格納するようにしているため、再発行された新会員用記録媒体の固有識別情報に対応して記憶されている旧会員用記録媒体に価値づけられた有価価値の精算を不可能にすることができる。よって、新会員用記録媒体の固有識別情報に対応して記憶されている旧会員用記録媒体にに価値づけられた有価価値の第三者による不正な精算に伴う現金化を防止することができる。
【０１１８】
また、請求項２の発明によれば、処理手段が、再発行された新会員用記録媒体に対する入金金額に応じた有価価値の追加要求があった際に、前記新会員用記録媒体の固有識別情報に対応して、当該入金金額に応じた有価価値を前記第１の有価価値記憶領域に格納するようにしているため、新会員用記録媒体に対して新規に加算（追加）した有価価値分については精算を行うことが可能である。また、新会員用記録媒体に関して、第２の有価価値記憶領域に記憶されている旧会員用記録媒体に価値づけられた有価価値の第三者による不正な精算に伴う現金化を防止することができる。
【０１１９】
また、請求項３の発明によれば、処理手段が、新会員用記録媒体の固有識別情報に対応する有価価値を対象とする精算処理要求があった際に、当該固有識別情報に対応して、精算可能とする有価価値を記憶する第１の有価価値記憶領域に記憶されている有価価値のみを精算処理対象の有価価値として処理するようにしているため、第１の有価価値記憶領域に記憶されている有価価値のみを精算することができる。また、新会員用記録媒体に関して、第２の有価価値記憶領域に記憶されている旧会員用記録媒体に価値づけられた有価価値の第三者による不正な精算に伴う現金化を防止することができる。
【０１２０】
また、請求項４の発明によれば、会員用記録媒体の再発行の際に、新会員用記録媒体の固有識別情報を識別情報記憶領域に格納すると共に、第１の有価価値記憶領域に記憶されている旧会員用記録媒体に価値づけられた有価価値を、新会員用記録媒体の固有識別情報に対応して第２の有価価値記憶領域に格納するようにしているので、再発行要求があった場合には、旧会員用記録媒体に対応する新会員用記録媒体の固有識別情報に対応して、当該旧会員用記録媒体に価値づけられた有価価値を第２の有価価値記憶領域に格納することが可能となると共に、再発行された新会員用記録媒体に対応して入金があった場合には、その新会員用記録媒体の固有識別情報に対応して、該入金金額に応じた有価価値を第１の有価価値記憶領域に格納することが可能となる。このため、再発行された新会員用記録媒体の固有識別情報に対応して記憶されている旧会員用記録媒体に価値づけられた有価価値の精算を不可能とすることが可能となる。
【０１２１】
また、請求項５の発明によれば、記録媒体処理装置に対して再発行された新会員用記録媒体が挿入され、かつ入金があった場合に、識別情報記憶領域に記憶され当該新会員用記録媒体の固有識別情報と一致する固有識別情報に対応して、前記入金された入金金額に応じた有価価値を第１の有価価値記憶領域に格納するようにしているため、新会員用記録媒体に対して新規に加算（追加）した有価価値分については精算を行うことが可能である。また、新会員用記録媒体に関して、第２の有価価値記憶領域に記憶されている旧会員用記録媒体に価値づけられた有価価値の第三者による不正な精算に伴う現金化を防止することができる。
【０１２２】
さらに、請求項６の発明によれば、精算装置からの精算可能額の問合せ要求があった場合に、識別情報記憶領域に記憶され、前記問合せ要求に含まれる固有識別情報と一致する固有識別情報に対応する、第１の有価価値記憶領域に記憶されている有価価値のみを前記問合せ要求に対する回答として送信するようにしているため、第１の有価価値記憶領域に記憶されている有価価値のみを精算することができる。また、新会員用記録媒体に関して、第２の有価価値記憶領域に記憶されている旧会員用記録媒体に価値づけられた有価価値の第三者による不正な精算に伴う現金化を防止することができる。
【図面の簡単な説明】
【図１】本発明の実施の形態である会員管理システムを遊技システムに適用した場合の概要を示すブロック図である。
【図２】会員用記録媒体の外観を示す平面図である。
【図３】会員管理装置の内部構成を示すブロック図である。
【図４】会員管理装置が備える会員管理テーブルの記憶内容の一例を示す図である。
【図５】カード発行機の外観を示す正面図である。
【図６】カード発行機の内部構成を示すブロック図である。
【図７】カード精算機の外観を示す正面図である。
【図８】カード精算機の内部構成を示すブロック図である。
【図９】カード発行機による再発行（移行）処理動作を示すフローチャートである。
【図１０】ターミナルコントローラによる処理動作を示すフローチャートである。
【図１１】カード発行機とターミナルコントローラとの間で実施されるデータ通信処理手順を示すシーケンス図である。
【図１２】会員管理装置が備える会員管理テーブルの記憶内容（移行処理後の内容）の一例を示す図である。
【図１３】カード発行機による加算処理動作を示すフローチャートである。
【図１４】会員管理装置が備える会員管理テーブルの記憶内容（追加処理後の内容）の一例を示す図である。
【図１５】カード精算機による精算処理動作を示すフローチャートである。
【図１６】ターミナルコントローラによる処理動作を示すフローチャートである。
【図１７】カード精算機とターミナルコントローラとの間で実施されるデータ通信処理手順を示すシーケンス図である。
【図１８】カード精算機とターミナルコントローラとの間で実施されるデータ通信処理手順を示すシーケンス図である。
【図１９】会員管理装置が備える会員管理テーブルの記憶内容の一例を示す図である。
【符号の説明】
１０      遊技機
３０      カード処理ユニット
４１      筐体
４２      扉体
４２ａ    ハンディ収容凹部
４２ｂ    補助扉体
４２ｃ    補助錠手段
４３      主錠手段
４４      会員カード挿入／返却口
４５      プリペイドカード発行口
４６      紙幣挿入／返却口
４７      選択スイッチ
４８      取消スイッチ
４９      表示部
５１      筐体
５２      扉体
５３      会員カード挿入／返却口
５４      プリペイドカード挿入／返却口
５５      紙幣払出口
５６      硬貨払出口
５７      確認スイッチ
５８      取消スイッチ
５９      表示部
１００      島コントローラ
１０１      カード発行機
１０２      カード精算機
１０３      カード更新機
２００      ターミナルコントローラ
２０１      ＣＰＵ
２０２      メモリ
２０３      記憶装置
２０４      入力装置
２０５      表示装置
２０６      通信インタフェース部
２１０      会員管理テーブル
２２０      プリペイドカード管理テーブル
４０１      会員カード処理部
４０２      発行制御部
４０３      プリペイドカード処理部
４０４      紙幣処理部
４０５      紙幣回収箱
４０６      施錠検出センサ
４０７      ハンディ端末入力機
４０８      通信インタフェース部
５０１      会員カード処理部
５０２      精算制御部
５０３      プリペイドカード処理部
５０４      プリペイドカード回収箱
５０５      紙幣処理部
５０６      収納部
５０７      硬貨処理部
５０８      ホッパ
５０９      通信インタフェース部
ＤＴ      度数管理テーブル
ＭＣ      会員カード
ＰＣ      プリペイドカード
【図１】
0003756803.tif 000002
【図２】
0003756803.tif 000003
【図３】
0003756803.tif 000004
【図４】
0003756803.tif 000005
【図５】
0003756803.tif 000006
【図６】
0003756803.tif 000007
【図７】
0003756803.tif 000008
【図８】
0003756803.tif 000009
【図９】
0003756803.tif 000010
【図１０】
0003756803.tif 000011
【図１１】
0003756803.tif 000012
【図１２】
0003756803.tif 000013
【図１３】
0003756803.tif 000014
【図１４】
0003756803.tif 000015
【図１５】
0003756803.tif 000016
【図１６】
0003756803.tif 000017
【図１７】
0003756803.tif 000018
【図１８】
0003756803.tif 000019
【図１９】
0003756803.tif 000020